(57)【特許請求の範囲】
【請求項１】
ベルト通し部と、
前記ベルト通し部に連結し、前記ベルト通し部に対して垂直方向又は斜め方向に延びて設けられ、平面形状を有する第１引掛け部と、
前記ベルト通し部に連結し、前記第１引掛け部に対向して設けられ、平面形状を有する第２引掛け部と、
前記第１引掛け部の先端部分にて前記第１引掛け部の面部分に対して平行に設けられる、面ファスナーのうちの一方の第１着脱部と、
前記第１着脱部に対向し、前記第２引掛け部の先端部分にて前記第２引掛け部の面部分に対して平行に設けられる、前記面ファスナーのうちの他方の第２着脱部と、
を備える吊下げ具。
【請求項２】
前記第１引掛け部と前記第２引掛け部は、１方向にのみ、前記ベルト通し部に対して垂直方向又は斜め方向に延びて設けられる請求項１に記載の吊下げ具。
【請求項３】
前記第１引掛け部と前記第１着脱部の間、又は、前記第２引掛け部と前記第２着脱部の間は、表面が連続的に滑らかに接続されている請求項１又は２に記載の吊下げ具。
【請求項４】
前記第１引掛け部と前記第２引掛け部の屈曲部分の上面には、補強材が設置されている請求項１から３のいずれか一項に記載の吊下げ具。
【発明の詳細な説明】
【技術分野】
【０００１】
本発明は、ランドセル等の鞄に取り付けられ、袋等の紐を吊下げることが可能な吊下げ具に関するものである。
【背景技術】
【０００２】
一般に、ランドセルの側面には、マチベルトを介して、ナスカン（茄子鐶）が取り付けられる。ランドセルに取り付けられたナスカンは、通学時に体育袋や給食袋等の紐を吊り下げるために用いられる。ナスカンは、茄子形状を有した金具であり、前面部材を内側へ押すと開放されて、鉤状の下側部材に紐を引っ掛けることができる。前面部材が閉ざされるとナスカンは閉ざされたリング状になり、下側部材に引っ掛けられた紐は、ナスカンから外れにくくなる。これにより、ナスカンを用いれば、袋等の荷物を落としにくいという利点がある。
【０００３】
一方で、ナスカンに吊り下げられた袋が走行中の車、バイクや自転車などに引っ掛かると、ナスカンから紐が簡単には外れず、かつ、ナスカンがランドセルに強固に固定されているため、ランドセルを背負った子供が袋ごと引き摺られるという事故が生じている。そこで、下記の特許文献１〜４では、ランドセルの側面又は肩掛けベルト（背負いベルト）に取り付けられたナスカンがランドセルから外れる構造に関する技術が開示されている。
【０００４】
なお、ナスカンは、ランドセル側面のマチベルトに対して取り外しづらい構造で固定されていたことから、ナスカンの交換がしにくいという課題もある。そこで、例えば下記の特許文献５及び６では、ナスカンを容易に交換可能とする構造が提案されている。
【先行技術文献】
【特許文献】
【０００５】
【特許文献１】特開平９−２２０１１２号公報
【特許文献２】実用新案登録第３１７２０５２号公報
【特許文献３】特開２００６−６７１３号公報
【特許文献４】実用新案登録第３１１３２９６号公報
【特許文献５】実開平５−４８７１５号公報
【特許文献６】特開２００４−１００８６１号公報
【発明の概要】
【発明が解決しようとする課題】
【０００６】
ところが、特許文献１〜４では、安全性の観点から、ナスカンがランドセルから外れる構造としているものの、相当な荷重がかからない限り、ナスカンはランドセルから外れないという事実がある（交換容易性の観点からの特許文献５及び６についても同様である。）。また、ある決められた角度でナスカンが引っ張られたときに初めて、ナスカンがランドセルから外れる構造となっているものがある。さらに、ナスカンが外れたとしても、その際にナスカンを止めていた止め具等が飛散し、飛散した破片によって、子供に怪我を負わせる可能性もある。
【０００７】
例えば、特許文献２では、２２〜２８ｋｇの引張り力がナスカンにかかったときに吊下具が抜けるという記載がある（段落０００９）。特許文献３では、ナスカンに対して水平方向に約１５ｋｇ以上、又は垂直方向に約７ｋｇ以上の引張り力が作用したとき、ナスカンや止め具が外れるという記載がある（段落００２３）。特許文献４では、フック部が弾性変形してナスカンが外れるという所定の引張り力に関して、記載例に限定されないものの８〜２０ｋｇ程度の引張り力に設定できるという記載がある（段落００２３，００２４）。
【０００８】
実際に取引されているランドセルメーカーがカタログ等で掲載しているナスカンの取り外し可能な構造も、ほぼ特許文献１〜６と同等の構造であり、ナスカンが外れるという引張り力の値も１０ｋｇ以上、２５ｋｇ以上、又は３０ｋｇ以上としている。
【０００９】
しかし、現実問題、上述の引張り力がどの程度の力であるかを検討してみると、上述のうち最低の７ｋｇの引張り力の場合であっても、ランドセルを背負う子供にとって相当大きな力であり、また、ナスカンに吊り下げる袋の荷重に対しても過剰な耐力であるといえる。例えば、７ｋｇといえば２リットルのペットボトルが３．５個分である。また、ばね秤を７ｋｇ分引っ張ることは、大人でも相当な力がいることでも明らかである。
【００１０】
したがって、ナスカンをランドセルから容易に外すことができると言われている従来の構造は、上述した荷重がかからない限り、ナスカンがランドセルから外れないため、ナスカンに吊り下げられた袋が走行中の車、バイクや自転車などに引っ掛かると、依然として子供が引き摺られる危険性がある。
【００１１】
本発明は、このような事情に鑑みてなされたものであって、比較的軽微な引張り力で吊下げられる袋等の紐が外れて、車、バイクや自転車などの外力によってランドセル等の鞄を背負っている子供などが引き摺られることを防止できる吊下げ具を提供することを目的とする。
【課題を解決するための手段】
【００１２】
上記課題を解決するために、本発明の吊下げ具は以下の手段を採用する。
すなわち、本発明に係る吊下げ具は、ベルト通し部と、前記ベルト通し部に連結し、前記ベルト通し部に対して垂直方向又は斜め方向に延びて設けられ、平面形状を有する第１引掛け部と、前記ベルト通し部に連結し、前記第１引掛け部に対向して設けられ、平面形状を有する第２引掛け部と、前記第１引掛け部の先端部分にて前記第１引掛け部の面部分に対して平行に設けられる、面ファスナーのうちの一方の第１着脱部と、前記第１着脱部に対向し、前記第２引掛け部の先端部分にて前記第２引掛け部の面部分に対して平行に設けられる、前記面ファスナーのうちの他方の第２着脱部とを備える。
【００１３】
この構成によれば、ベルト通し部にベルトが通されることによって、ベルト通し部と第１引掛け部及び第２引掛け部がベルトに対して支持され、第１引掛け部は、ベルト通し部に対して垂直方向又は斜め方向に延びて設けられる。第１引掛け部の先端部には、面ファスナーのうちの一方の第１着脱部が設けられ、第２引掛け部の先端部には、面ファスナーのうちの他方の第２着脱部が設けられる。第１着脱部と第２着脱部は、対向しており、両者が合わさることによって、第１引掛け部と第２引掛け部は一体化して閉じた状態となる。
【００１４】
設置時にベルト通し部が略垂直状態になると、第１引掛け部は、水平方向又は斜め方向に延びて設けられる状態になることから、第１引掛け部と第２引掛け部の間に紐を通しつつ、かつ、第１引掛け部に紐を引っ掛けることができる。そして、第１着脱部と第２着脱部を合わせることによって、紐が第１引掛け部と第２引掛け部の間に挟まれているため、第１引掛け部に引っ掛けられた紐は、紐の他端に設けられた荷物等の重力などの軽微な力によって、ずれて落ちることがない。
【００１５】
面ファスナーは、第１着脱部の全面と第２着脱部の全面にかかる反対方向の引張り力に対して大きな抵抗力を有する。一方、第１引掛け部と第２引掛け部の間に挟まれた紐において、第１着脱部と第２着脱部の間を通過しようとする力がかかると、第１着脱部及び第２着脱部は、端から順に剥がれる。そのため、第１着脱部の全面と第２着脱部の全面に引張り力がかかる場合に比べて少ない力で、第１引掛け部と第２引掛け部の間から紐が外れる。
【００１６】
第１着脱部及び第２着脱部が端から順に剥がれ始めるときの紐にかかる力が、仮に５ｋｇであるとする。この場合、紐の他端に設けられる荷物が５ｋｇ未満であれば、第１着脱部と第２着脱部が剥がれることなく、荷物は第１引掛け部又は第２引掛け部によって支持可能である。一方、紐に５ｋｇを超える引張り力がかかると、第１着脱部及び第２着脱部が端から順に剥がれて、第１引掛け部と第２引掛け部の間から紐が外れる。
【００１７】
また、第１着脱部と第２着脱部は、それぞれ第１引掛け部又は第２引掛け部の面部分に対して平行に設けられることから、第１引掛け部と第２引掛け部の間に挟まれた紐は、引張り力がかかると、第１着脱部と第２着脱部の間にスムーズに紐が挿入されやすい。その結果、紐に所定以上の引張り力がかかったとき、第１着脱部と第２着脱部が第１引掛け部又は第２引掛け部の面部分に対して平行に設けられない場合に比べて、第１着脱部及び第２着脱部が端から順に剥がれやすく、第１引掛け部と第２引掛け部の間から紐が外れやすい。
【００１８】
上記発明において、前記第１引掛け部と前記第２引掛け部は、１方向にのみ、前記ベルト通し部に対して垂直方向又は斜め方向に延びて設けられてもよい。
【００１９】
この構成によれば、ベルト通し部、第１引掛け部や第２引掛け部が鞄の側面などに接して設けられる場合、第１引掛け部と第２引掛け部の間に挟まれた紐に引張り力がかかったとき、第１引掛け部及び第２引掛け部がベルト通し部の軸線回りで回動しやすい。これに対して、第１引掛け部と第２引掛け部が、例えば、２方向にベルト通し部に対して垂直方向又は斜め方向に延びて設けられる場合、２方向のうち一方の第１引掛け部と第２引掛け部が鞄の側面などに当たって回動しにくくなる。したがって、第１引掛け部や第２引掛け部が１方向にのみ設けられることで、第１引掛け部及び第２引掛け部がベルト通し部の軸線回りで回動しにくくなることを防止できる。
【００２０】
上記発明において、前記第１引掛け部と前記第１着脱部の間、又は、前記第２引掛け部と前記第２着脱部の間は、表面が連続的に滑らかに接続されてもよい。
【００２１】
この構成によれば、第１引掛け部と第２引掛け部の間に挟まれた紐に対して、引張り力がかかったとき、第１引掛け部と第１着脱部の間、又は、第２引掛け部と第２着脱部の間に段差部がある場合に比べて、第１着脱部と第２着脱部の間にスムーズに紐が挿入されやすくなる。
【００２２】
上記発明において、前記第１引掛け部と前記第２引掛け部の屈曲部分の上面には、補強材が設置されてもよい。
【００２３】
この構成によれば、屈曲部分の上面に補強材が設置されていることから、第１引掛け部又は第２引掛け部に引っ掛けられた紐によって、第１引掛け部と第２引掛け部の屈曲部分から破断することを防止できる。
【発明の効果】
【００２４】
本発明によれば、比較的軽微な引張り力で吊下げられる袋等の紐が外れて、車、バイクや自転車などの外力によってランドセル等の鞄を背負っている子供などが引き摺られることを防止できる。
【図面の簡単な説明】
【００２５】
【図１】本発明の一実施形態に係る吊下げ具とランドセルを示す全体概略図である。
【図２】本発明の一実施形態に係る吊下げ具を示す正面図である。
【図３】本発明の一実施形態に係る吊下げ具を示す側面図である。
【図４】図２のIV−IV線で切断した横断面図である。
【図５】本発明の一実施形態に係る吊下げ具を示す側面図であって、引掛け部が開いた状態を示す。
【図６】本発明の他の実施形態に係る吊下げ具を示す正面図である。
【発明を実施するための形態】
【００２６】
以下に、本発明に係る実施形態について、図面を参照して説明する。
本実施形態に係る吊下げ具１は、例えば合成繊維などからなる布製又は革製であって、全体としてフック形状を有し、ベルト通し部２と、引掛け部３，４と、面ファスナー（着脱面５，６）などからなる。
吊下げ具１は、図１及び図２に示すように、例えばランドセル１０の側面に設けられているマチベルト１１に取り付けられ、通学時に体育袋、給食袋などの袋等の紐１２を吊下げることができる。紐１２は、図３に示すように、引掛け部３，４のいずれか一方に引っ掛けられつつ、面ファスナーの着脱面５，６が合わさった状態で、引掛け部３，４の間に挟まれる。このとき、着脱面５，６が合わさっていることで、紐の他端に設けられた袋等の重力などによって、紐は、ずれて落ちることがない。また、引掛け部３，４の間に挟まれた紐において、着脱面５，６の間を通過しようとする力がかかると、着脱面５，６は、端から順に剥がれる。そのため、着脱面５の全面と着脱面６の全面に引張り力がかかる場合に比べて少ない力で、引掛け部３，４の間から紐が外れる。
【００２７】
ベルト通し部２は、互いに対向する２枚の板状部材からなり、一端部２ａ（設置時の上端側）と他端部（設置時の下端側）２ｂにて、２枚の板状部材が結合される。ベルト通し部２の一端部２ａは、下方向の引張り力によって、吊下げ具１が外れないように、開閉不可能に確実に結合されていることが望ましい。これにより、ベルト通し部１は、マチベルト１１を両側から挟み、かつ、マチベルト１１の上端で支持される。一方、ベルト通し部２の他端部２ｂは、ベルト通し部２にマチベルト１１を通すことができるように開閉可能となっている。ベルト通し部２の２枚の板状部材は、他端部２ｂにて設置時にボタン等によって結合されていることによって、吊下げ具１がマチベルト１１に対して確実に固定される。また、他端部２ｂのボタンを外せば、吊下げ具１をマチベルト１１から取り外すことができ、交換容易である。
【００２８】
引掛け部３，４は、平面形状を有する板状部材であって、ベルト通し部２に連結し、ベルト通し部２に対して垂直方向又は斜め方向に延びて設けられる。なお、ベルト通し部２と引掛け部３、ベルト通し部２と引掛け部４は、それぞれ別部材でもよいし、一体的に設けられた一つの部材でもよい。引掛け部３と引掛け部４は、互いに対向して設けられる。引掛け部３は、ベルト通し部２の一方の板状部材の延長上に設けられ、引掛け部４は、ベルト通し部２の他方の板状部材の延長上に設けられる。図１に示す例では、引掛け部３，４は、Ｌ字形状である。また、図６に示す例では、引掛け部３，４は、ベルト通し部２の他端部２ｂから垂直方向又は斜め方向に延びて設けられる。
【００２９】
引掛け部３，４は、１方向にのみ、ベルト通し部２に対して垂直方向又は斜め方向に延びて設けられる。すなわち、引掛け部３，４自体がＬ字形状、ベルト通し部２と引掛け部３，４の組み合わせでＬ字形状を有する。これにより、ベルト通し部２、引掛け部３，４が鞄の側面などに接して設けられる場合、引掛け部３と引掛け部４の間に挟まれた紐に引張り力がかかったとき、引掛け部３，４がベルト通し部２の軸線回りで回動しやすい。
【００３０】
これに対して、引掛け部３と引掛け部４が、それぞれ二つ設けられて、２方向にベルト通し部２に対して垂直方向又は斜め方向に延びて（逆Ｔ字形状を有して）設けられてもよいが、２方向のうち一方の引掛け部３，４が鞄の側面などに当たって回動しにくくなる。したがって、引掛け部３と引掛け部４は、１方向にのみ設けられることで、引掛け部３，４がベルト通し部２の軸線回りで回動しにくくなることを防止できる。
【００３１】
着脱面５，６は、両者一組で面ファスナーを構成する。着脱面５，６は、いずれか一方が鉤状表面を有し、他方がパイル状表面を有して、両者を重ね合わせることで互いに接着し、両者を離す方向に引張り力を与えることで剥がれる。着脱面５，６は、それぞれ引掛け部３，４の先端部分にて引掛け部３，４の面部分に対して平行に設けられる。着脱面５，６は、互いに対向する位置に設けられる。
【００３２】
なお、引掛け部３と着脱面５の間、又は、引掛け部４と着脱面６の間は、図４に示すように、表面が連続的に滑らかに接続されていることが望ましい。これにより、引掛け部３と引掛け部４の間に挟まれた紐に対して、引張り力がかかったとき、引掛け部３と着脱面５の間、又は、引掛け部４と着脱面６の間に段差部がある場合に比べて、着脱面５と着脱面６の間にスムーズに紐が挿入されやすくなる。
【００３３】
また、引掛け部３，４の屈曲部分の上面には、補強材７が設置されてもよい。これにより、屈曲部分の上面に補強材７が設置されていることから、引掛け部３又は引掛け部４に引っ掛けられた紐によって、引掛け部３，４の屈曲部分から破断することを防止できる。補強材７は、引掛け部３，４の強度によって、必要に応じて取り付けられる。
【００３４】
さらに、上述した例では、引掛け部３，４が同一形状である場合について説明したが、本発明はこの例に限定されない。すなわち、引掛け部３，４のいずれか一方がＬ字形状で、紐を引っ掛けて支持することができ、必要なときに紐が抜ける形状であればよく、他方は、Ｌ字形状以外であってもよい。これにより、本発明の作用効果を発揮させながら、見栄えを変えることもできる。また、引掛け部３，４は、ベルト通し部２に対して垂直方向又は斜め方向に延びて設けられればよいことから、引掛け部３，４を例えばＪ字形状や音符形状等のデザイン化された形状にしてもよい。
【００３５】
次に、本実施形態に係る吊下げ具１の使用方法等について説明する。
吊下げ具１は、ベルト通し部２にマチベルト１１が通されることによって、ベルト通し部２と引掛け部３，４がマチベルト１１に対して支持され、引掛け部３，４は、ベルト通し部２に対して垂直方向又は斜め方向に延びて設けられる。引掛け部３の先端部には、着脱面５が設けられ、引掛け部４の先端部には、着脱面６が設けられる。着脱面５と着脱面６は、対向しており、両者が合わさることによって、引掛け部３と引掛け部４は一体化して閉じた状態となる。
【００３６】
吊下げ具１がランドセルに設置されているときにベルト通し部２が略垂直状態になると、引掛け部３，４は、水平方向又は斜め方向に延びて設けられる状態になることから、図１及び図３に示すように、引掛け部３と引掛け部４の間に紐１２を通しつつ、かつ、引掛け部３に紐１２を引っ掛けることができる。そして、着脱面５と着脱面６を合わせることによって、図３に示すように、紐１２が引掛け部３と引掛け部４の間に挟まれているため、引掛け部３又は引掛け部４に引っ掛けられた紐１２は、紐１２の他端に設けられた荷物等の重力などの軽微な力によって、ずれて落ちることがない。
【００３７】
面ファスナーは、着脱面５の全面と着脱面６の全面にかかる反対方向の引張り力に対して大きな抵抗力を有する。一方、引掛け部３と引掛け部４の間に挟まれた紐において、着脱面５と着脱面６の間を通過しようとする力がかかると、着脱面５及び着脱面６は、端から順に剥がれる。そのため、着脱面５の全面と着脱面６の全面に引張り力がかかる場合に比べて少ない力で、引掛け部３と引掛け部４の間から紐が外れる。
【００３８】
着脱面５及び着脱面６が端から順に剥がれ始めるときの紐にかかる力が、仮に５ｋｇであるとする。この場合、紐の他端に設けられる荷物が５ｋｇ未満であれば、着脱面５と着脱面６が剥がれることなく、荷物は引掛け部３又は引掛け部４によって支持可能である。一方、紐に５ｋｇを超える引張り力がかかると、着脱面５及び着脱面６が端から順に剥がれて、図５に示すように、最終的に引掛け部３と引掛け部４が開いた状態となり、引掛け部３と引掛け部４の間から紐１２が外れる。
【００３９】
通常の荷物吊下げ時は、荷重が紐を介して引掛け部３又は引掛け部４に作用し、互いに合わさっている着脱面５，６にほとんど作用しないため、荷物の吊下げは、着脱面５，６の着脱力の性能に影響されない。そのため、通常の吊下げ時は、着脱面５，６が合わさったまま、荷物が引掛け部３又は引掛け部４によって安定して保持されるため、荷物が意図せずに落下するおそれがない。一方、異常時や紐の取り外し時に紐が引っ張られると、紐は着脱面５，６まで移動する。そして、面ファスナーの着脱力を上回る負荷が着脱面５，６にかかると、着脱面５，６がすぐに剥がれて、紐が引掛け部３，４から外れる。このように、紐が引っ張られて着脱面５，６に過剰な荷重がかかった場合は、着脱面５，６が安全装置の役割を果たすことによって、異常時等に紐が外れやすくなっている。
【００４０】
また、着脱面５と着脱面６は、それぞれ引掛け部３又は引掛け部４の面部分に対して平行に設けられることから、引掛け部３と引掛け部４の間に挟まれた紐は、引張り力がかかると、着脱面５と着脱面６の間にスムーズに紐が挿入されやすい。その結果、紐に所定以上の引張り力がかかったとき、着脱面５と着脱面６が引掛け部３又は引掛け部４の面部分に対して平行に設けられない場合に比べて、着脱面５及び着脱面６が端から順に剥がれやすく、引掛け部３と引掛け部４の間から紐が外れやすい。
【００４１】
着脱面５及び着脱面６が剥がれ始めて、引掛け部３と引掛け部４の間から紐が外れるときの力は、５ｋｇ未満、好ましくは１ｋｇ未満であることが望ましい。本実施形態では、着脱面５，６について面ファスナーを採用することから、この力を５ｋｇ未満に設定することが容易である。１ｋｇ未満であるとしても、子供がランドセルに吊下げる袋の荷重（給食袋等は２００ｇ程度かそれ以下）を考えると、十分な耐力である。
【００４２】
そして、従来のナスカンやナスカンの止め具を用いる場合と異なり、本実施形態では、万一吊下げ具１に吊下げられた袋が走行中に車、バイクや自転車などに引っ掛かったとしても、子供が耐えられる力以上に引っ張られる前に、比較的軽微な力で紐が吊下げ具１から外れるため、子供が袋やランドセルと一緒に引き摺られるという危険性がなく、安全面が十分に配慮されている。
【００４３】
また、吊下げ具１は、布製又は革製の柔軟な材質で形成されているため、あらゆる引張り方向に対応して回動したりねじれたりすることができるため、あらゆる角度で引っ張られたとしても吊下げ具１から紐が確実に外れる。さらに、吊下げ具１がマチベルトから外れて引張り力の反動によって周囲に飛んだとしても、吊下げ具１は布製又は革製であるため、周囲の子供に怪我を負わせる危険性が少ない。またさらに、着脱面５，６が面ファスナーであることから、剥がれるときにビリビリという音が発生するため、吊下げ具１に引っ掛けられた紐が引っ張られているという状態を知らせることができる。
【００４４】
なお、上述した実施形態では、吊下げ具１は、ランドセルに適用される場合について説明したが、本発明はこの例に限定されず、他の鞄に適用してもよい。また、吊下げ具１のベルト通し部２をズボン等に通すベルトに通し、引掛け部３，４に携帯電話等のストラップを引っ掛けてもよい。これにより、ズボンのポケットから携帯電話を不用意に落とすことを防止できる。また、携帯電話を吊下げ具から取り外す際も面ファスナーを剥がす程度の力を加えればよく、ベルトと携帯電話を長い紐で結んでおく場合に比べて、吊下げ具やストラップのみで済むため、紐による煩わしさがない。
【符号の説明】
【００４５】
１  吊下げ具
２  ベルト通し部
３  引掛け部（第１引掛け部）
４  引掛け部（第２引掛け部）
５  着脱面（第１着脱部）
６  着脱面（第２着脱部）
７  補強材
【要約】
【課題】比較的軽微な引張り力で吊下げられる袋等の紐が外れて、車、バイクや自転車などの外力によってランドセル等の鞄を背負っている子供などが引き摺られることを防止できる吊下げ具を提供することを目的とする。
【解決手段】吊下げ具１は、ベルト通し部２と、ベルト通し部２に連結し、ベルト通し部２に対して垂直方向又は斜め方向に延びて設けられ、平面形状を有する引掛け部３と、ベルト通し部２に連結し、引掛け部３に対向して設けられ、平面形状を有する引掛け部と、引掛け部３の先端部分にて引掛け部３の面部分に対して平行に設けられる、面ファスナーのうちの一方の着脱面５と、着脱面５に対向し、引掛け部の先端部分にて引掛け部の面部分に対して平行に設けられる、面ファスナーのうちの他方の着脱面とを備える。
【選択図】図２【図１】
0005416305.tif 000002
【図２】
0005416305.tif 000003
【図３】
0005416305.tif 000004
【図４】
0005416305.tif 000005
【図５】
0005416305.tif 000006
【図６】
0005416305.tif 000007